(57)【要約】【課題】最新の番組の延長時間情報に応じて延長録画となることを電子番組表等により迅速にユーザに知らせることで、確実な予約録画を可能とする放送記録装置を提供する。【解決手段】  番組情報とその最大延長時間情報とを外部から取得する通信部と、放送信号を受信して復調し映像音声信号を出力するチューナ部と、チューナ部からの映像音声信号を記録する記録部と、操作部からの信号に応じ番組情報の予約録画情報を記憶する予約管理部と、通信部が取得した番組情報と最大延長時間情報とに基づいて、番組の最大延長される時間を伴って番組を表示する番組表画像を生成する生成部と、通信部が最新の番組情報及び最大延長時間情報を取得すると、これに応じて予約管理部の予約録画情報と生成部の番組表画像を更新し、予約時刻が来ると更新された予約録画情報に基づいて、チューナ部及び記録部を制御して予約録画を行なう制御部３０，４２とをもつ放送記録装置。【選択図】図１
2006217500.tif 000002
【特許請求の範囲】
【請求項１】
番組情報とその番組の最大延長時間情報とを取得する通信部と、
放送信号を受信し、これを復調して映像音声信号を出力するチューナ部と、
前記チューナ部からの前記映像音声信号を記録する記録部と、
操作信号に応じた前記番組情報の予約録画情報を生成して記憶する予約管理部と、
前記通信部が取得した前記番組情報と前記最大延長時間情報とに基づいて、番組が延長される最大の時間を伴って番組を表示する番組表画像を生成する生成部と、
前記通信部が最新の前記番組情報及び最大延長時間情報を取得すると、これに応じて前記予約管理部の予約録画情報と前記生成部の番組表画像を更新し、予約時刻が来ると更新された予約録画情報に基づいて、前記チューナ部及び前記記録部を制御して予約録画を行なう制御部と、を具備することを特徴とする放送記録装置。
【請求項２】
前記生成部は、前記最大延長時間に応じて、前記予約管理部の予約録画情報が本来の番組時間よりも延長となった時間領域を、他の時間領域と識別できるように表示することを特徴とする請求項１記載の放送記録装置。
【請求項３】
前記最大延長時間情報は、自己の番組が延長することによる放送時間の延長と、他番組の延長に影響されて番組時間の終了時刻が延長する場合とを識別する識別情報を更に有することを特徴とする請求項１記載の放送記録装置。
【請求項４】
前記識別情報を加味して前記番組表画像及び前記予約録画情報を生成し、予約時刻が来ると更新された予約録画情報に基づいて、前記チューナ部及び前記記録部を制御して予約録画を行なうことを特徴とする請求項１記載の放送記録装置。
【請求項５】
前記通信部が前記番組情報と前記最大延長時間情報とに加えて、その番組の延長が他の番組にどれだけの時間影響するかを示す影響範囲情報を取得することにより、前記影響範囲情報を加味して前記予約管理部の予約録画情報と前記生成部の番組表画像を生成し、予約時刻が来るとこの予約録画情報に基づいて予約録画を行なうことを特徴とする請求項１記載の放送記録装置。
【請求項６】
前記通信部が受信する前記最大延長時間情報とは、その番組が延長する可能性があるが、延長される時間が未定である場合も含まれることを特徴とする請求項１記載の放送記録装置。
【請求項７】
前記生成部は、前記最大延長時間情報に応じて、前記番組表画像の該当番組欄に最大延長時間付きの延長可能性を示すマークを表示することを特徴とする請求項１記載の放送記録装置。
【請求項８】
前記生成部が生成するマークは、前記最大延長時間を伴う自己の番組延長に起因する延長可能性を示すマーク、前記最大延長時間を伴う他番組の延長に起因する延長可能性を示すマーク、延長時間不明であり自己の番組延長に起因する延長可能性を示すマーク、延長時間不明であり他番組の延長に起因する延長可能性を示すマークの少なくとも一つを含んでいることを特徴とする請求項７記載の放送記録装置。
【請求項９】
前記制御部は、前記通信部が最新の前記番組情報及び最大延長時間情報を取得し、これに応じて前記予約録画情報を更新した結果、それ以前に設定されていた他の予約録画情報と記録時間が衝突するとき、アラート表示を行うべく制御することを特徴とする請求項１記載の放送記録装置。
【請求項１０】
前記制御部は、前記アラート表示を行った後に、初期設定で設定された手順により、又は、その後の前記操作部からの指示により変更された予約録画情報に基づいて、予約録画を行うことを特徴とする請求項９記載の放送記録装置。
【請求項１１】
外部装置から番組情報とその番組の最大延長時間情報とを取得し、
前記番組情報と最大延長時間情報とに基づき予約録画情報を生成し、
前記番組情報と前記最大延長時間情報とに基づいて、番組の最大延長される時間を伴って番組を表示する番組表画像を生成し、
前記外部装置から最新の番組情報と最大延長時間情報とを再び取得し、
前記最新の番組情報と最大延長時間情報とに基づき、前記予約録画情報と前記番組表画像とを更新し、予約時刻が来ると更新された前記録画予約に応じて、放送信号を受信し復調して記録することを特徴とする放送記録方法。
【請求項１２】
前記最大延長時間に応じて録画予約時間が本来の番組時間よりも延長となった時間領域を、他の時間領域と識別できるように前記番組表画像を表示することを特徴とする請求項１１記載の放送記録方法。
【請求項１３】
前記最大延長時間情報は、自己の番組が延長することによる放送時間の延長と、他番組の延長に影響されて番組時間の終了時刻が延長する場合とを識別する識別情報を更に有することを特徴とする請求項１１記載の放送記録方法。
【請求項１４】
前記識別情報を加味して前記番組表画像及び前記予約録画情報を生成し、予約時刻が来ると更新された予約録画情報に基づいて、前記チューナ部及び前記記録部を制御して予約録画を行なうことを特徴とする請求項１１記載の放送記録方法。
【請求項１５】
前記番組情報と前記最大延長時間情報とに加えて影響範囲情報を取得することにより、前記影響範囲情報を加味して前記予約録画情報と前記番組表画像を生成し、予約時刻が来るとこの予約録画情報に基づいて予約録画を行なうことを特徴とする請求項１１記載の放送記録方法。
【請求項１６】
前記最大延長時間情報に応じて、前記番組表画像の該当番組欄に最大延長時間付きの延長可能性を示すマークを表示することを特徴とする請求項１１記載の放送記録方法。
【請求項１７】
前記番組表画像に表示されるマークは、前記最大延長時間を伴う自己の番組延長に起因する延長可能性を示すマーク、前記最大延長時間を伴う他番組の延長に起因する延長可能性を示すマーク、延長時間不明であり自己の番組延長に起因する延長可能性を示すマーク、延長時間不明であり他番組の延長に起因する延長可能性を示すマークの少なくとも一つを含んでいることを特徴とする請求項１６記載の放送記録方法。
【請求項１８】
最新の前記番組情報及び最大延長時間情報を取得し、これに応じて前記予約録画情報を更新した結果、それ以前に設定されていた他の予約録画情報と記録時間が衝突するとき、アラート表示を行うことを特徴とする請求項１１記載の放送記録方法。
【発明の詳細な説明】
【技術分野】
【０００１】
この発明は、電子番組情報を受けこれに応じて放送情報を記録する放送記録装置に関し、特に、野球等による放送時間延長の際の予約録画を行う放送記録装置及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。しかし、このとき、例えば、野球等のスポーツ中継情報等のように、放送時間が延長となる可能性がある番組やその後の番組を予約録画の対象とすると、放送時間が延長した場合に、予約録画に失敗する場合もある。
【０００３】
ここで、特許文献１においては、電子番組情報とは別に、延長情報だけをサーバ等から供給するものである。これにより、予約した番組に延長があったとしても、録画直前にサーバにアクセスして録画時間を延長することによって、予約した番組を確実に録画することができる。
【特許文献１】特開２００４−２０８００２号公報。
【発明の開示】
【発明が解決しようとする課題】
【０００４】
しかし、上記した従来技術においては、ユーザは、予約録画が開始して延長録画を実際に行う段階でしか番組が延長されることを知ることができないものである。従って、予約録画が開始する前に、例えば、画面に表示される電子番組表の上で、番組延長の可能性を知るということができないという問題がある。又、そのため、例えば、予約した番組が延長した結果、他の予約番組と録画時間が衝突すると、どちらかの番組の録画に失敗してしまい、録画できなかった方の番組をユーザが優先したかった場合は、録画予約はユーザの意向に沿ったものとはならないという問題がある。
【０００５】
本発明は、最新の番組の延長時間情報に応じて延長録画となることを電子番組表等により迅速にユーザに知らせることで、確実な予約録画を可能とする放送記録装置及び放送記録方法を提供することを目的とする。
【課題を解決するための手段】
【０００６】
本発明の一実施形態は、番組情報とこの番組の最大延長時間情報とを外部から取得する通信部と、放送信号を受信し、これを復調して映像音声信号を出力するチューナ部と、前記チューナ部からの前記映像音声信号を記録する記録部と、操作部からの信号に応じ前記番組情報の予約録画情報を生成して記憶する予約管理部と、前記通信部が取得した前記番組情報と前記最大延長時間情報とに基づいて、番組が延長される最大の時間を伴って番組を表示する番組表画像を生成する生成部と、前記通信部が最新の前記番組情報及び最大延長時間情報を取得すると、これに応じて前記予約管理部の予約録画情報と前記生成部の番組表画像を更新し、予約時刻が来ると更新された予約録画情報に基づいて、前記チューナ部及び前記記録部を制御して予約録画を行なう制御部とを具備することを特徴とする放送記録装置である。
【発明の効果】
【０００７】
上記の放送記録装置は、ネットワーク上のサーバ装置Ｓから、番組情報と最大延長時間情報とを取得し、延長に応じた録画予約を行い、番組表の画像を生成するものである。その後、最新の番組情報と最大延長時間情報とを取得する度に、録画予約と番組表を更新し、例えば、予約設定時には延長予定がなくとも、翌日等に延長予定が決まると、予約録画情報を更新するものである。一方で、録画予約された番組が延長されることを、番組表の番組欄で明確に表示するものである。
【０００８】
このように最新の最大延長時間情報に応じながら、リアルタイムに番組表と予約録画情報を更新していくことで、ユーザは、自分が録画予約した番組がどのような形で録画されるのかが、何日も前から番組情報の最大延長時間情報が変わった時点で、放送記録装置が生成する番組表の番組欄を参照することにより非常に容易に知ることができる。
【０００９】
従って、予約録画の後日に、番組時間の延長が決まった時点で、例えば、先に予約録画されていた予約番組と録画時間が衝突するような場合でも、これを録画開始の数日前から番組表から容易に知ることができるので、例えば、先に予約した予約番組を優先するのか、今回に予約した予約番組を優先するのかを任意に選択することも可能となる。これにより、本発明に係る放送記録装置では、途中から延長可能性が生じた番組についても、確実な予約録画を実現することが可能となるものである。又、予約の有無と関係なく、各番組の最大延長時間情報が延長マーク等として番組表上で表示されるため、ユーザは番組表を一覧することで、各番組の延長可能性の状態を瞬時に把握することができるため、新たに録画予約をする際にも非常に参考とすることができるので、確実な録画予約が可能となる。
【発明を実施するための最良の形態】
【００１０】
以下、この発明の実施の形態について図面を参照して詳細に説明する。  
＜本発明の一実施形態に係る放送記録装置＞
（構成）
初めに、図１は、本発明の一実施形態に係る放送記録装置の構成の一例を示すブロック図である。図１の放送記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、放送記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部・延長処理部４２、予約リストや番組表画像を生成する番組表生成部４３、を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１２】
更に、放送記録装置１０は、データバスを介して制御部３０に接続され、ユーザの操作やリモコンＲの操作を受ける操作部３２を有している。ここで、リモコンは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（動作）
・基本動作
このような構成の放送記録装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
・記録処理等
次に、このような構成を有する放送記録装置１０の動作を、更に詳細に説明する。初めに、主に記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１６】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１７】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１８】
又、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１９】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２０】
・編集処理等
データ編集部２０により、ハードディスクドライブ部１８又は光ディスクＤに記録されている複数番組のビデオ・オブジェクトを、一部削除したり、異なる番組のオブジェクトをつなげたり、といった編集処理を行うこともできる。
【００２１】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２２】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２３】
・予約録画処理
次に、通信部１１等から取得した電子番組情報に基づいて、図２の録画予約一覧や図１２の番組表を用いて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２４】
なお、この際の予約録画処理について、電子番組情報を用いた番組の延長処理等が可能であり、番組の延長や放送時間のシフト等に自動的に対応することができ、これらを後に詳述する。
【００２５】
この実施形態の放送記録装置１０は、このように総合的な機能を有するものであり、多くのソースに対して光ディスクＤ又はハードディスクドライブ部１８による記録・再生処理を行うものである。次に、この放送記録装置１０の予約録画処理について、図面を用いて詳細に説明する。
【００２６】
＜本発明の一実施形態である放送記録装置の予約録画処理の一例＞
次に、この放送記録装置１０の特に電子番組情報を用いた予約録画処理について、図面を用いて詳細に説明する。図２は、本発明の一実施形態である放送記録装置が表示する番組表の一例を示す説明図、図３は、同じく放送記録装置が扱う番組情報のデータ形式の一例を示す説明図、図４は、同じく放送記録装置が番組表に表示する延長情報のマーク種の一例を示す説明図、図５は、同じく放送記録装置が扱う予約録画情報の一例を示す説明図、図６は、同じく放送記録装置が扱う予約画面のデータ形式の一例を示す説明図、図７は、同じく放送記録装置における番組表・番組リストの表示処理の一例を示すフローチャート、図８は、同じく放送記録装置における予約時の予約時間の延長時間の設定処理の一例を示すフローチャート、図９は、同じく放送記録装置における予約後の予約時間の延長時間の設定処理の一例を示すフローチャート、図１０は、同じく放送記録装置における予約後の延長時間の変更に応じた予約録画情報の変更の一例を説明する説明図である。
【００２７】
（番組情報提供サーバ）
初めに、放送記録装置１０に通信部１１等を介して番組情報を提供する番組情報提供サーバＳについて説明する。番組情報提供サーバＳは、放送番組名を識別するための番組識別情報と、この番組識別情報に対応した番組の放送時刻情報（例えば、放送開始時刻と放送時間、最大延長時間等を含む）とを含む番組情報を入力する番組情報登録部５１と、番組情報登録部５１で入力された番組情報を格納する番組情報格納部５２と、番組情報格納部５２に格納された情報をネットワーク等を介して、所望の端末に送信する通信部５３とを有している。
【００２８】
このような構成を有する番組情報提供サーバＳは、一般に、サービスを提供する組織の施設として設けられるものであり、予め、放送番組と放送番組の番組識別情報と放送時刻情報を含む番組情報がアップロードされている。そして、この番組情報に変更が生じると、即座に番組情報登録部５１により変更情報を入力して、番組情報格納部５２の更新処理を行う。この時、すでに番組情報提供サーバＳに保持された番組情報と同一の番組識別情報をもつ番組情報が入力された場合、番組情報提供サーバＳは、番組情報格納部５２に保持された番組情報を最新のものに置き換えるものである。番組情報提供サーバＳは、通信部５３を介して、例えばインターネットを中継し、モデムＭを介して、放送通信装置１０に、番組情報と、例えば、この番組情報の最大延長時間情報、自己の番組が延長することによる放送時間の延長と他番組の延長に影響されて番組時間の終了時刻が延長する場合とを識別する識別情報（以下、延長識別情報とする）等を１番組とする番組情報を、複数、提供するものである。ここで、情報の形態は、これに限るものではない。又、通信形態においても、例えば、図１に示すように、番組情報を放送局Ｔに提供し、放送局Ｔの放送信号（地上波デジタル、地上波アナログ、衛星放送デジタル、衛星放送アナログ等）に重畳させて番組情報を放送記録装置１０に提供することも好適である。
【００２９】
（番組表・予約リストの表示）
初めに、放送記録装置１０の番組表・予約リスト等の表示機能について、図７のフローチャートを用いて以下に詳細に説明する。放送記録装置１０は、番組情報提供サーバＳから、図３を用いて後述される番組情報（最大延長時間情報，延長識別情報、影響範囲情報等）を、例えばＬＡＮ等の通信部１１、モデムＭ等を介し、インターネットや電話回線等の通信経路を経由して取得するものである。
【００３０】
この時、番組情報は、その番組の延長時間に関して、最大延長時間情報と、延長識別情報とにより特定する方法と、更に、最大延長時間情報と、その番組の延長が他の番組にどれだけの時間影響するかを示す影響範囲情報により特定する方法が少なくともあるが、これに限るものではない。ここで、影響範囲情報とは、例えば、影響範囲情報が５時間を示していたら、野球放送の１時間延長が、その後の５時間分の番組の開始時間と終了時間に影響することを意味している。
【００３１】
放送記録装置１０においては、このような最大延長時間情報を伴う番組情報を番組情報提供サーバＳ等から通信部１１又は各チューナ１２，１３等を経由して取得すると、これに応じて図２を用いて後述される番組表、又、予約済みであれば予約リスト等を、ユーザの操作に応じて表示するものである。すなわち、ユーザによるリモコンＲ等による番組表の表示操作に応じて、図７のフローチャートに示すように、制御部３０及び番組表生成部４３の働きにおいて、初めに、延長マークを表示するかどうかが問われる（Ｓ１１）。この延長マークとは、次に示す番組表に示されるもので、このマークを煩わしいものと感じるときはユーザは任意にこの延長マークの表示／非表示を選択することができる。
【００３２】
・番組表
ここで、図２の番組表は、一例として、横軸が日、時刻等の時間軸、縦軸がチャンネルを示しており、各時刻の各チャンネルの番組タイトルが表示されている。更に、ここで、番組タイトルＰ１『大リーク中継』は、延長マークＰ２［延３０］が画面表示されているもので、自己の番組延長に起因する最大３０分の時間延長の可能性が示されている。更に、番組タイトルＰ３『老婆の休日』は、延長マークＰ４［→３０］が画面表示されているもので、他番組延長に起因する最大３０分の時間延長の可能性が示されている。
【００３３】
ここで、延長マークの一例は、図４に示すように、延長マーク［延未］のように、延長時間が未定であって自己の番組延長に起因する時間延長の可能性が示される場合と、延長マーク［→未］のように、延長時間が未定であって他番組延長に起因する時間延長の可能性が示される場合とが更に好適である。
【００３４】
又、番組タイトルＰ５『野球中継』は、延長マーク［延３０］が画面表示されており、自己の番組延長に起因する最大３０分の時間延長の可能性が示されている。又、番組タイトルＰ６『チーズケーキ工房』は、録画予約されていることを示すべく時計マークが記入されており、更に、延長マークＰ７［→３０］が画面表示され他の時間領域と識別可能に色表示（又は模様等）されることで、上記の最大延長時間情報に応じて、録画時間が自動的に延長されたことを示している。
【００３５】
このような図２の番組表を表示するために、制御部３０等の働きにより通信部３０及び各チューナ部１２，１３等を介して、番組情報提供サーバＳから番組情報が取得される。ここで、番組情報は、一例として、図３に示すような１番組のデータ形式が複数集まったデータの集合体である。図３において、１番組の番組情報は、録画開始日時、録画開始時間、録画終了時間、最大延長時間、延長対象を示す延長識別情報、タイトルをそれぞれ有しているが、この実施形態に限定されず、同様のデータ形式が様々に可能であり、更に、多くの番組情報（例えば、番組ＩＤ等の識別情報や番組内容に関するテキスト情報、音声・映像信号に関する規格情報等）が付加されることも好適である。
【００３６】
制御部３０、番組表生成部４３は、これらの番組情報に対して、一つの番組情報を取得し（Ｓ１２）、この番組情報が延長情報を有しているか、＜／ｅｔ  ｅｘ＝“０”＞でないかどうかが問われる（Ｓ１３）。次に、他番組の影響による延長かどうか、＜／ｅｔ  ｅｘ＝“０”＞かどうかが問われる（Ｓ１４）。ここで、自己の延長であれば、図２に示すように［延××］マークを表示し（Ｓ１６）、他番組延長の影響による延長であれば、［→××］マークを表示する（Ｓ１５）。
【００３７】
このように１番組毎に番組情報を判断していき、全ての番組表を表示しえると図２に示すような番組表画像が生成され、セレクタ部１７を経由して受像機４１に表示される（Ｓ１７）。又、ステップＳ１１にて、延長マークを表示しないとすれば、通常の番組表と同様に、番組情報を取得しつつ延長情報を検出することなく画像を形成するものである（Ｓ１８）。
【００３８】
なお、これらの処理は、図２に示すような番組表を生成する場合であるが、既に予約された予約番組リストについても、図２の番組表と同様の手順で延長マークを付加して、同様の手順で画像形成して表示するものである。
【００３９】
（予約時の予約時間の延長時間設定）
次に、予約時の予約時間の延長時間設定処理について、図８のフローチャートを用いて詳細に説明する。本発明に係る放送記録装置１０は、録画予約を行う際に、サーバＳ等から供給された最大延長時間情報を伴う番組情報を参照して、予約録画情報を生成するものである。これにより、予約した時点で最大延長時間情報を加えた録画予約が可能となる。
【００４０】
すなわち、図８のフローチャートにおいて、放送記録装置１０は、ユーザによるリモコンＲ等からの操作に従い、制御部３０及び予約録画部・延長処理部４２の働きにより、延長時間を伴う予約処理を行う。すなわち、ユーザのリモコンＲ等による操作により、図２に示すような番組表を表示し、この番組表の一つの番組を特定することにより、予約対象の番組が特定されると、この番組の図３に示すような番組情報が予約録画部・延長処理部４２等により取得される（Ｓ２１）。ここで、延長時間があるかが判断され（Ｓ２２）、ここで、延長時間が存在すると、延長時間は未定かどうかが、図３の番組情報に基づいて判断される（Ｓ２３）。ここで、延長時間が未定であれば、初期設定で設定した予約時間（例えば、３０分等）を予約の延長時間に設定する（Ｓ２４）。延長時間が決まっていれば、取得した延長時間を予約の延長時間に設定する（Ｓ２６）。そして、予約時間の終了時間を、（終了時間）＝（放送終了予定時間）＋（延長時間）として設定する（Ｓ２５）。このようにして、図５に示すような予約録画情報において、録画時間と延長時間とが特定されることで、録画終了時間が特定される。又、通常の予約録画情報であるチャンネル情報、開始日時、録画時間、録画先、画質、音質、予約名等の情報と共に、延長時間も、予約録画部・延長処理部４２の記憶領域等に格納される。又、録画予約の際のこれらの各設定情報は、図６に示す録画予約画面で任意に設定が可能である。
【００４１】
又、ステップＳ２２において、番組情報の中に延長時間が存在しなければ、通常の予約録画情報として、予約の延長時間に０を設定されて同様に予約録画部・延長処理部４２の記憶領域等に格納される（Ｓ２７）。
【００４２】
又、このように予約録画されたことにより格納された予約録画情報に応じて、図２の番組表を表示した際は、最大延長時間情報に基づいて、例えば、番組タイトルＰ６『チーズケーキ工房』に示すように、録画予約されていることを示すべく時計マークが記入され、更に延長マークＰ７［→３０］が画面表示され他の時間領域と識別可能に色表示（又は模様表示）され、最大延長時間情報に応じて録画時間が自動的に延長されたことがわかる。
【００４３】
又、予約録画後は、図６に示す録画予約画面においても、延長時間が表示され、録画開始時刻と延長時間を含んだ終了時刻とを確認することができる。
【００４４】
（最新の番組情報に応じた予約録画情報及び番組表の更新処理）
次に、最新の番組情報応じた予約録画情報及び番組表の更新処理について、図９のフローチャートを用いて詳細に説明する。すなわち、本発明に係る放送記録装置１０においては、番組情報は例えば１日１回又は数回又は任意の回数で、通信部１１又は各チューナ部１２，１３等を介して定期的に自動更新されるものであり、常に最新の番組情報に応じた番組表と予約録画情報との更新処理を行うものである。
【００４５】
従って、図１０に示すように、予約時には予約した番組Ｂ１は延長の予定がなく、最大延長時間情報も“０”であったので、隣り合った番組Ｂ２とも干渉することがなかったのに、翌日になると、近傍のスポーツ中継の影響で、延長の可能性が出てきたため、番組情報提供サーバＳからの番組情報が、最大延長時間情報を“０”から“３０”に変更するという場合が発生することがあるため、以下のような処理によって対策を講じるものである。
【００４６】
すなわち、図９のフローチャートにおいて、放送記録装置１０は、制御部３０及び番組表生成部４３等の働きにより、予め決められた取得時刻となると通信部１１又は各チューナ部１２，１３等を経由して、最新の番組情報を自動的に取得する（Ｓ３１）。そして、予約録画部・延長処理部４２の働きにより、最新の番組情報から、予約対象の番組情報を取得する（Ｓ３２）。ここで、延長時間の有無、延長時間に変更はあることが検出されれば（Ｓ３３）、予約録画の終了時間を、（終了時間）＝（放送終了予定時間）＋（新たな延長時間）とする（Ｓ３４）。
【００４７】
この結果、予約録画部・延長処理部４２の判断により、最新の予約録画情報によって終了時間が変更となることで、他の予約時間と衝突したかどうかが判断される（Ｓ３５）。もし、最新の最大延長時間情報によって、図１０に示すように、予約番組Ｂ１’と予約番組Ｂ２とが衝突した場合は、アラートＡを表示する。そして、このアラートＡにおいて、例えば、初期設定の対応方法を『予約番組Ｂ１が予約番組Ｂ２に優先します』等に表示し、この処理に応じて、二つの録画予約を処理する。
【００４８】
ここで、このアラート表示は、画面表示だけではなく、制御部３０及び通信部１１等の働きにより、予め登録されたユーザのメールアドレスへメールを自動的に送ることが好適である。又、更に、画面表示の替わりに、放送記録装置の本体に設けられたＬＥＤを発光させたり色を変えたりすることでも好適である。又、本体の電源を投入したときに、画面の冒頭でアラートを表示したり、番組表や予約一覧を開いた時にアラートを出す等が可能となる。更に、メールとＬＥＤは、本体の電源を投入しなくとも、制御部３０の一部と通信部３０等の部分的な電源供給として、ユーザの登録メールアドレスへメールを自動的に送って知らせたり、ＬＥＤを適宜発光させることが好適である。
【００４９】
ここでは、初期設定又はユーザの任意設定として、色々な方法が可能であり、例えば、『先行予約（先に予約処理を済ませた方）を優先』、『先時刻の予約を優先』、『延長があった番組の延長処理を中止することを優先』、『延長する方を優先』等、多くの方法が同様に好適である。このような、初期設定・任意設定の対応方法に従って、予約録画情報を再設定等することで、予約時間の重複を解決する（Ｓ３６）。又、アラート表示に応じて、ユーザのリモコンＲ等の操作により、対応方法が変更された場合は（Ｓ３７）、初期設定にかかわらず、ユーザにより変更された対応方法に応じて、複数の予約処理を変更して重複した予約処理を解決するものである（Ｓ３８）。
【００５０】
このようにすることで、従来装置で生じてしまう、予約した番組がその後延長した結果、他の予約番組と録画時間が衝突してしまい、意に反して一方の番組の録画に失敗する等の不具合を回避することが可能となるものである。
【００５１】
このように、本発明に係る放送記録装置においては、最新の番組情報を定期的に取得し、この最大延長時間情報に応じながら、リアルタイムに番組表と予約録画情報を更新していくことで、ユーザは、自分が録画予約した番組がどのような形で録画されるのかが、何日も前から番組情報の最大延長時間情報が変わった時点で、放送記録装置が生成する番組表の番組欄を参照することにより非常に直感的に知ることが可能となるものである。
【００５２】
＜放送受信装置への適用＞
又、図７に示した番組情報の延長情報を伴う番組表の表示機能については、上述した放送録画装置１０だけに適用が可能ではなく、例えば、図１の放送録画装置１０のブロック図の示す構成から録画機能・編集機能等を除き、受像機４１やスピーカ等を加えた構成を有するデジタルテレビジョン装置等において、同様に適用が可能である。すなわち、通信部１１や、各チューナ部１２，１３を有していれば、サーバＳから取得した図２に示す番組情報を表示することは可能である。これにより、ユーザは例えば自分が今日これから視聴したいドラマが何分の延長の可能性があるのかどうかの最新情報を、この番組表画面から、容易に直感的に知ることが可能となるものである。
【００５３】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５４】
【図１】本発明の一実施形態に係る放送記録装置の構成の一例を示すブロック図。
【図２】同じく放送記録装置が表示する番組表の一例を示す説明図。
【図３】同じく放送記録装置が扱う番組情報のデータ形式の一例を示す説明図。
【図４】同じく放送記録装置が番組表に表示する延長情報のマーク種の一例を示す説明図。
【図５】同じく放送記録装置が扱う予約録画情報の一例を示す説明図。
【図６】同じく放送記録装置が扱う予約画面のデータ形式の一例を示す説明図。
【図７】同じく放送記録装置における番組表・番組リストの表示処理の一例を示すフローチャート。
【図８】同じく放送記録装置における予約時の予約時間の延長時間の設定処理の一例を示すフローチャート。
【図９】同じく放送記録装置における予約後の予約時間の延長時間の設定処理の一例を示すフローチャート。
【図１０】同じく放送記録装置における予約後の延長時間の変更に応じた予約録画情報の変更の一例を説明する説明図。
【符号の説明】
【００５５】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４３…番組表生成部。
【図１】
2006217500.tif 000003
【図２】
2006217500.tif 000004
【図３】
2006217500.tif 000005
【図４】
2006217500.tif 000006
【図５】
2006217500.tif 000007
【図６】
2006217500.tif 000008
【図７】
2006217500.tif 000009
【図８】
2006217500.tif 000010
【図９】
2006217500.tif 000011
【図１０】
2006217500.tif 000012